【手続補正書】
【提出日】平成27年2月16日(2015.2.16)
【手続補正１】
【補正対象書類名】特許請求の範囲
【補正対象項目名】全文
【補正方法】変更
【補正の内容】
【特許請求の範囲】
【請求項１】
印刷アプリケーションソフトウエアが動作するサーバーと、
通信機能を有する情報端末と、
前記情報端末と通信接続する通信部、ネットワークを介して前記情報端末と前記サーバーとを通信接続する通信中継部、プリンター個体識別情報を記憶する記憶部、前記プリンター個体識別情報に基づいて前記サーバーから前記印刷アプリケーションソフトウエアを設定する設定情報を取得する設定情報取得部、及び前記設定情報に基づいて前記情報端末から前記印刷アプリケーションソフトウエアを利用させるアプリケーション設定部を有するプリンターと、
を備えることを特徴とする印刷システム。
【請求項２】
前記プリンターは、前記プリンター個体識別情報に基づいてパスワードを生成するパスワード生成部、前記パスワードを出力するパスワード出力部、前記情報端末からの前記パスワードを受信するパスワード受信部、及び前記パスワード生成部が生成した前記パスワードと前記パスワード受信部が受信した前記パスワードとに基づいて前記情報端末との間の通信を確立する通信確立部を有し、
前記情報端末は、前記パスワードの入力を受け付けるパスワード入力部、及び前記パスワード入力部に入力された前記パスワードを前記プリンターに送信するパスワード送信部を有する請求項１に記載の印刷システム。
【請求項３】
前記情報端末は、情報端末個体識別情報を記憶し、
前記プリンターは、前記情報端末との間の通信を確立する際に前記情報端末個体識別情報を前記情報端末から取得する情報端末個体識別情報取得部、前記プリンター個体識別情報とサーバーから送られた情報端末接続属性情報と前記情報端末個体識別情報と時間情報との全てもしくは一部を組み合わせるパスワード合成部、及び前記プリンターに通信接続する前記情報端末から前記プリンターおよび前記サーバーへの接続を前記情報端末個体識別情報と前記プリンター個体識別情報と前記情報端末接続属性情報と前記時間情報との全てもしくは一部に基づいて制限する接続制限部を有する請求項２に記載の印刷システム。
【請求項４】
前記プリンターは、前記パスワードを光学的に読み取り可能なコードで印刷し、
前記情報端末は、前記コードを入力する入力部、及び前記コードを解析して前記パスワードを取得して前記パスワード入力部に供給する解析部を有する請求項３に記載の印刷システム。
【請求項５】
前記プリンターは、前記パスワードを暗号化したコードを近距離無線通信で出力し、
前記情報端末は、前記コードを受信する受信部、及び前記コードを解析して前記パスワードを取得して前記パスワード入力部に供給する解析部を有する請求項３に記載の印刷システム。
【請求項６】
前記接続制限部は、前記情報端末の操作ログを監視し、予め登録される操作ログパターンに基づいて、接続制限の変更、および、前記情報端末を利用したオペレーターへの作業指示表示の両方もしくはいずれかを行う請求項３乃至５のいずれか１項に記載の印刷システム。
【請求項７】
情報端末と通信接続する通信部と、
ネットワークを介して前記情報端末と前記サーバーとを通信接続する通信中継部と、
プリンター個体識別情報を記憶する記憶部と、
前記プリンター個体識別情報に基づいてサーバーから印刷アプリケーションソフトウエアを設定する設定情報を取得する設定情報取得部と、
前記設定情報に基づいて前記情報端末から前記印刷アプリケーションソフトウエアを利用させるアプリケーション設定部と、
を有することを特徴とするプリンター。
【請求項８】
前記プリンター個体識別情報に基づいてパスワードを生成するパスワード生成部と、
前記パスワードを出力するパスワード出力部、前記情報端末からの前記パスワードを受信するパスワード受信部と、
前記パスワード生成部が生成した前記パスワードと前記パスワード受信部が受信した前記パスワードとに基づいて前記情報端末との間の通信を確立する通信確立部と
を有する請求項７に記載のプリンター。
【手続補正２】
【補正対象書類名】明細書
【補正対象項目名】０００６
【補正方法】変更
【補正の内容】
【０００６】
上記の課題を解決するために、本発明の印刷システムは、
印刷アプリケーションソフトウエアが動作するサーバーと、
通信機能を有する情報端末と、
前記情報端末との間を通信接続する通信部、ネットワークを介して前記情報端末と前記サーバーとを通信接続する通信中継部、プリンター個体識別情報を記憶する記憶部、前記プリンター個体識別情報に基づいて前記サーバーから前記印刷アプリケーションソフトウエアを設定する設定情報を取得する設定情報取得部、及び前記設定情報に基づいて前記情報端末から前記印刷アプリケーションソフトウエアを利用させるアプリケーション設定部を有することを特徴とする。
【手続補正３】
【補正対象書類名】明細書
【補正対象項目名】０００８
【補正方法】変更
【補正の内容】
【０００８】
本発明において、前記プリンターは、前記プリンター個体識別情報に基づいてパスワードを生成するパスワード生成部、前記パスワードを出力するパスワード出力部、前記情報端末からの前記パスワードを受信するパスワード受信部、前記パスワード生成部が生成した前記パスワードと前記パスワード受信部が受信した前記パスワードとに基づいて前記情報端末との間の通信を確立する通信確立部を有し、前記情報端末は、前記パスワードの入力を受け付けるパスワード入力部、及び前記パスワード入力部に入力された前記パスワードを前記プリンターに送信するパスワード送信部と、を有することが望ましい。このようにすれば、プリンターと情報端末の間のローカルなネットワークがセキュリティーを備えるものとなる。また、このローカルなネットワークのセキュリティーをプリンター個体識別情報と関連付けて管理できる。
【手続補正４】
【補正対象書類名】明細書
【補正対象項目名】０００９
【補正方法】変更
【補正の内容】
【０００９】
本発明において、前記情報端末は、情報端末個体識別情報を記憶し、前記プリンターは、前記情報端末との間の通信を確立する際に前記情報端末個体識別情報を前記情報端末から取得する情報端末個体識別情報取得部、前記プリンター個体識別情報とサーバーから送られた情報端末接続属性情報と前記情報端末個体識別情報と時間情報との全てもしくは一部を組み合わせるパスワード合成部、及び前記プリンターに通信接続する前記情報端末から前記プリンターおよび前記サーバーへの接続前前記情報端末個体識別情報と前記プリンター個体識別情報と前記情報端末接続属性情報と前記時間情報との全てもしくは一部に基づいて制限する接続制限部を有することが望ましい。このようにすれば、プリンターと情報端末の間のローカルなネットワークのセキュリティーを向上させることができる。また、プリンターを介して情報端末とサーバーの間で行われる通信のセキュリティーを向上させることができる。ここで、サーバーから送られた情報端末接続属性情報とは、例えば、プリンターに許容される情報端末の接続台数、接続可能な情報端末の種類或いは機種、情報端末とサーバーとの間で通信を許可されている時間などの情報などとすることができる。
【手続補正５】
【補正対象書類名】明細書
【補正対象項目名】００１０
【補正方法】変更
【補正の内容】
【００１０】
本発明において、前記プリンターは、前記パスワードを光学的に読み取り可能なコードで印刷し、前記情報端末は、前記コードを入力する入力部、及び前記コードを解析して前記パスワードを取得して前記パスワード入力部に供給する解析部を有することが望ましい。このようにすれば、カメラなどの読取装置を用いてパスワードを入力することができるので、プリンターと情報端末の間の通信を確立する作業が容易となる。ここで、光学的に読み取り可能なコードには、バーコードなどの２次元コードや暗号数字印刷などがある。コードが２次元コードや暗号数字印刷の場合には、読取装置を利用してこれらのコードを入力部に入力できる。また、コードが暗号数字印刷の場合には、オペレーターがコードを読み取って入力部に入力できる。
【手続補正６】
【補正対象書類名】明細書
【補正対象項目名】００１１
【補正方法】変更
【補正の内容】
【００１１】
本発明において、前記プリンターは、前記パスワードを暗号化したコードを近距離無線通信で出力し、前記情報端末は、前記コードを受信する受信部、及び前記コードを解析して前記パスワードを取得して前記パスワード入力部に供給する解析部を有する構成を採用することもできる。このようにしても、パスワードを入力する作業が容易になるので、プリンターと情報端末の間の通信を確立する作業が容易となる。
【手続補正７】
【補正対象書類名】明細書
【補正対象項目名】００１４
【補正方法】変更
【補正の内容】
【００１４】
本発明において、前記接続制限部は、前記情報端末の操作ログを監視し、予め登録される操作ログパターンに基づいて、接続制限の変更、および、前記情報端末を利用したオペレーターへの作業指示表示の両方もしくはいずれかを行うものとすることができる。このようにすれば、プリンターと情報端末の間の通信を確立する作業が容易となる。